【手続補正書】
【提出日】平成20年2月21日(2008.2.21)
【手続補正１】
【補正対象書類名】明細書
【補正対象項目名】発明の名称
【補正方法】変更
【補正の内容】
【発明の名称】シート積載装置とこの装置を備えたシート後処理装置および画像形成装置
【手続補正２】
【補正対象書類名】明細書
【補正対象項目名】特許請求の範囲
【補正方法】変更
【補正の内容】
【特許請求の範囲】
【請求項１】  排出されたシートが積載される排出シート積載手段と、
シート排出方向に傾倒可能に前記排出シート積載手段に設けられ、前記排出シート積載手段に排出されたシートのシート排出方向端部を受け止めるシート受け止め手段と、
を備えたことを特徴とするシート積載装置。
【請求項２】  前記シート受け止め手段は、前記排出シート積載手段に立設され、中間部から先端側が傾倒可能であることを特徴とする請求項１に記載のシート積載装置。
【請求項３】  前記シート受け止め手段は、前記排出シート積載手段に立設され、基部から傾倒可能であることを特徴とする請求項１に記載のシート積載装置。
【請求項４】  前記シート受け止め手段は、前記排出シート積載手段に設けられた基部部材と、前記基部部材に弾性部材によって連結されて前記基部部材の上端に傾倒可能に設けられた傾倒部材とを有し、前記傾倒部材は、前記弾性部材によって傾倒状態から元の起立状態に復帰可能であることを特徴とする請求項１または２に記載のシート積載装置。
【請求項５】  前記弾性部材は、前記基部部材と前記傾倒部材との対向部間に設けられていることを特徴とする請求項４に記載のシート積載装置。
【請求項６】  前記シート受け止め手段は、前記排出シート積載手段に設けられた基部部材と、前記基部部材に中間弾性部材によって連結されて前記基部部材の上端に傾倒可能に設けられた中間傾倒部材と、前記中間傾倒部材に上部弾性部材によって連結されて前記中間傾倒部材の上端に傾倒可能に設けられた上部傾倒部材とを有し、前記中間弾性部材と前記上部弾性部材とのいずれか一方が前記シート排出方向の上流側に設けられ、他方が下流側に設けられて、前記中間傾倒部材と前記上部傾倒部材は前記中間弾性部材によって傾倒状態から元の起立状態に復帰可能であり、前記上部傾倒部材は前記上部弾性部材によって傾倒状態から元の起立状態に復帰可能であることを特徴とする請求項１または２に記載のシート積載装置。
【請求項７】  前記シート受け止め手段は、前記排出シート積載手段に立設された弾性部材であり、前記弾性部材の中間部に弱体部が形成されて、前記弱体部より上方の傾倒部が前記弱体部より下方の基部よりも傾倒量が多いことを特徴とする請求項１または２に記載のシート積載装置。
【請求項８】  前記シート受け止め手段は、前記排出シート積載手段に弾性部材によって連結されて前記排出シート積載手段に傾倒可能に設けられた傾倒部材を有し、前記傾倒部材は、前記弾性部材によって傾倒状態から元の起立状態に復帰可能であることを特徴とする請求項１または３に記載のシート積載装置。
【請求項９】  前記弾性部材は、前記傾倒部材と前記排出シート積載手段との対向部間に設けられていることを特徴とする請求項８に記載のシート積載装置。
【請求項１０】  前記シート受け止め手段は、前記排出シート積載手段に立設された弾性部材であり、前記弾性部材は、基部から傾倒可能であることを特徴とする請求項１または３に記載のシート積載装置。
【請求項１１】  前記排出シート積載手段に設けられて前記シートが前記排出シート積載手段に積載されるにしたがって前記シート排出方向の下流側に移動可能な移動手段を備え、前記シート受け止め手段は、前記移動手段に設けられていることを特徴とする請求項１ないし１０の内、いずれか１項に記載のシート積載装置。
【請求項１２】  前記排出シート積載手段に積載された前記シートを上方から押さえるシート押さえ手段を備えたことを特徴とする請求項１ないし１１の内、いずれか１項に記載のシート積載装置。
【請求項１３】  前記シートを折り曲げるシート折り曲げ手段と、
折り曲げられた前記シートを積載する請求項１ないし１２の内、いずれか１項に記載のシート積載装置と、
を備えたことを特徴とするシート後処理装置。
【請求項１４】  シートに画像を形成する画像形成手段と、
前記画像形成手段によって画像が形成された前記シートが積載される請求項１ないし１２の内、いずれか１項に記載のシート積載装置と、
を備えたことを特徴とする画像形成装置。
【請求項１５】  シートに画像を形成する画像形成手段と、
前記シートを折り曲げるシート折り曲げ手段と、
折り曲げられた前記シートを積載する請求項１ないし１２の内、いずれか１項に記載のシート積載装置と、
を備えたことを特徴とする画像形成装置。
【手続補正３】
【補正対象書類名】明細書
【補正対象項目名】０００９
【補正方法】変更
【補正の内容】
【０００９】
本発明は、シート束の積載時に、シート束の先端を規制できるとともに、シート束を取り出しやすくした、シート積載装置と、このシート積載装置を装置本体に備えたシート後処理装置および画像形成装置とを提供することを目的としている。
【手続補正４】
【補正対象書類名】明細書
【補正対象項目名】００１０
【補正方法】変更
【補正の内容】
【００１０】
【課題を解決するための手段】
上記目的を達成するため本発明のシート積載装置は、排出されたシートが積載される排出シート積載手段と、シート排出方向に傾倒可能に前記排出シート積載手段に設けられ、前記排出シート積載手段に排出されたシートのシート排出方向端部を受け止めるシート受け止め手段と、を備えている。
【手続補正５】
【補正対象書類名】明細書
【補正対象項目名】００１１
【補正方法】変更
【補正の内容】
【００１１】
本発明のシート積載装置の前記シート受け止め手段は、前記排出シート積載手段に立設され、中間部から先端側が傾倒可能である。
【手続補正６】
【補正対象書類名】明細書
【補正対象項目名】００１２
【補正方法】変更
【補正の内容】
【００１２】
本発明のシート積載装置の前記シート受け止め手段は、前記排出シート積載手段に立設され、基部から傾倒可能である。
【手続補正７】
【補正対象書類名】明細書
【補正対象項目名】００１３
【補正方法】変更
【補正の内容】
【００１３】
本発明のシート積載装置の前記シート受け止め手段は、前記排出シート積載手段に設けられた基部部材と、前記基部部材に弾性部材によって連結されて前記基部部材の上端に傾倒可能に設けられた傾倒部材とを有し、前記傾倒部材は、前記弾性部材によって傾倒状態から元の起立状態に復帰可能になっている。
【手続補正８】
【補正対象書類名】明細書
【補正対象項目名】００１４
【補正方法】変更
【補正の内容】
【００１４】
本発明のシート積載装置の前記弾性部材は、前記基部部材と前記傾倒部材との対向部間に設けられている。
【手続補正９】
【補正対象書類名】明細書
【補正対象項目名】００１５
【補正方法】変更
【補正の内容】
【００１５】
本発明のシート積載装置の前記シート受け止め手段は、前記排出シート積載手段に設けられた基部部材と、前記基部部材に中間弾性部材によって連結されて前記基部部材の上端に傾倒可能に設けられた中間傾倒部材と、前記中間傾倒部材に上部弾性部材によって連結されて前記中間傾倒部材の上端に傾倒可能に設けられた上部傾倒部材とを有し、前記中間弾性部材と前記上部弾性部材とのいずれか一方が前記シート排出方向の上流側に設けられ、他方が下流側に設けられて、前記中間傾倒部材と前記上部傾倒部材は前記中間弾性部材によって傾倒状態から元の起立状態に復帰可能であり、前記上部傾倒部材は前記上部弾
性部材によって傾倒状態から元の起立状態に復帰可能になっている。
【手続補正１０】
【補正対象書類名】明細書
【補正対象項目名】００１６
【補正方法】変更
【補正の内容】
【００１６】
本発明のシート積載装置の前記シート受け止め手段は、前記排出シート積載手段に立設された弾性部材であり、前記弾性部材の中間部に弱体部が形成されて、前記弱体部より上方の傾倒部が前記弱体部より下方の基部よりも傾倒量が多くなっている。
【手続補正１１】
【補正対象書類名】明細書
【補正対象項目名】００１７
【補正方法】変更
【補正の内容】
【００１７】
本発明のシート積載装置の前記シート受け止め手段は、前記排出シート積載手段に弾性部材によって連結されて前記排出シート積載手段に傾倒可能に設けられた傾倒部材を有し、前記傾倒部材は、前記弾性部材によって傾倒状態から元の起立状態に復帰可能になっている。
【手続補正１２】
【補正対象書類名】明細書
【補正対象項目名】００１８
【補正方法】変更
【補正の内容】
【００１８】
本発明のシート積載装置の前記弾性部材は、前記傾倒部材と前記排出シート積載手段との対向部間に設けられている。
【手続補正１３】
【補正対象書類名】明細書
【補正対象項目名】００１９
【補正方法】変更
【補正の内容】
【００１９】
本発明のシート積載装置の前記シート受け止め手段は、前記排出シート積載手段に立設された弾性部材であり、前記弾性部材は、基部から傾倒可能になっている。
【手続補正１４】
【補正対象書類名】明細書
【補正対象項目名】００２０
【補正方法】変更
【補正の内容】
【００２０】
本発明のシート積載装置は、さらに、前記排出シート積載手段に設けられて前記シートが前記排出シート積載手段に積載されるにしたがって前記シート排出方向の下流側に移動可能な移動手段を備え、前記シート受け止め手段は、前記移動手段に設けられている。
【手続補正１５】
【補正対象書類名】明細書
【補正対象項目名】００２１
【補正方法】変更
【補正の内容】
【００２１】
本発明のシート積載装置は、さらに、前記排出シート積載手段に積載された前記シートを上方から押さえるシート押さえ手段を備えている。
【手続補正１６】
【補正対象書類名】明細書
【補正対象項目名】００２２
【補正方法】変更
【補正の内容】
【００２２】
上記目的を達成するため、本発明のシート後処理装置は、前記シートを折り曲げるシート折り曲げ手段と、折り曲げられた前記シートを積載する上記いずれか１つのシート積載装置と、を備えている。
【手続補正１７】
【補正対象書類名】明細書
【補正対象項目名】００２３
【補正方法】変更
【補正の内容】
【００２３】
上記目的を達成するため、本発明の画像形成装置は、シートに画像を形成する画像形成手段と、前記画像形成手段によって画像が形成された前記シートが積載される上記いずれか１つのシート積載装置と、を備えている。
【手続補正１８】
【補正対象書類名】明細書
【補正対象項目名】００２４
【補正方法】変更
【補正の内容】
【００２４】
上記目的を達成するため、本発明の画像形成装置は、シートに画像を形成する画像形成手段と、前記シートを折り曲げるシート折り曲げ手段と、折り曲げられた上記いずれか１つのシート積載装置と、を備えている。
【手続補正１９】
【補正対象書類名】明細書
【補正対象項目名】００８０
【補正方法】変更
【補正の内容】
【００８０】
【発明の効果】
本発明のシート積載装置は、シート受け止め手段が少なくともシート排出方向の下流側に傾倒可能になっているので、シート束を排出シート積載手段から取り出すとき、容易に取り出すことができる。
【手続補正２０】
【補正対象書類名】明細書
【補正対象項目名】００８１
【補正方法】変更
【補正の内容】
【００８１】
【００８１】
特に、シート積載面積の小さい排出シート積載手段に多くのシートを積載するシート積載装置において、シート受け止め手段が少なくともシート排出方向の下流側に傾斜可能にすることは、シートを排出シート積載手段上から容易に取り出すことができるといる絶大な効果を奏する。